(57)【要約】【課題】従来の外壁材で問題とされるコーキング作業の手間を解消するとともに、美観の向上の為、表からシーリング材が見えない構造とし、更にシーリング材の経年劣化による影響を受け難く、馬踏み目地貼りを簡単に行える外壁材を提供する事を課題としている。【解決手段】外壁材１の右辺に設けられた水平方向重なり部２が、右側に接合される外壁材１の左辺の裏側に合抉りの形で入る込む構造で、尚且つ、外壁材１の上辺に設けられた垂直方向重なり部３が、上側に接合される外壁材１の下辺の裏側に合抉りの形で入る込む構造とすることにより、縦の辺、横の辺の両方に重なり部がある外壁材となった結果、全てのシーリングを重ね部の内部に隠す事が可能となり、美観が向上し、コーキング作業の手間が解消され、経年劣化の影響も軽減出来る。更に重なり部の段形状を利用する事で、外壁材が自ずと納まり位置へ誘導される構造とした。【選択図】        図２
0003132580.tif 000002
【実用新案登録請求の範囲】
【請求項１】
横の辺と縦の辺に、隣り合うの壁との重なり部があり、重なり部の内側にてシーリングをする事により、表から全くシーリングが見えない全辺重ね型外壁材。
【請求項２】
重なり部の一部に設置された段により、馬踏み目地貼りの位置合わせが簡単な事を特徴とする請求項１記載の全辺重ね型外壁材。
【考案の詳細な説明】
【技術分野】
【０００１】
本考案は外壁材を施工するための構造に関する。
【背景技術】
【０００２】
図１２に示す様に、従来の外壁材１９は重なり部２０が横の辺のみで、縦の辺には重なり部が無い為、縦の辺側は隣り合う外壁材１９との間にスキマ２１をつくり、そのスキマ２１にバックアップ材等を入れ、表側からシーリング材をコーキングする事でスキマ２１を埋め、隣り合う外壁材１９を接合している。
【０００３】
また、馬踏み目地貼りをする場合においては外壁材１９の納まり位置の目安が無く、位置を割出すのに計算をし、その位置を墨出し等して位置の目安としている。
【特許文献１】特開２００３−１４７９３５号公報
【考案の開示】
【考案が解決しようとする課題】
【０００４】
しかしながら、上記した従来の外壁材１９の構造では、スキマ２１にバックアップ材等を入れ、左右の辺の縁をマスキングテープで覆い、外壁材１９の端面にプライマーを塗布した上で、表側からシーリング材をコーキングしてスキマ２１を埋めて、隣り合う外壁材１９を接合した後、マスキングテープを剥がす作業を必要としており、非常に手間が多いと言う欠点が有る。
【０００５】
更に上記作業により施工された外壁面は、外壁材１９の面とシーリング面とに色の均一性や質感の統一性がなく、美観を損なっている。
【０００６】
更にシーリング材の経年劣化により外壁材１９からシーリング材が剥離するなどの問題も有る。
【０００７】
また、馬踏み目地貼りをする場合においては納まり位置の目安がなく、納まり位置を割出すのに計算をし、その位置を墨出し等する必要が有り、これもまた手間がかかると言う欠点が有る。
【０００８】
そこで本考案は、コーキング作業の手間を解消するとともに、表からシーリング材が見えない構造の外壁材で、シーリング材の経年劣化による影響を受け難く、馬踏み目地貼りを簡単に行える外壁材を提供する事を課題としている。
【課題を解決するための手段】
【０００９】
外壁材の縦の辺と横の辺の両方に重なり部が有る構造とし、その重なり部の内部にシーリング材を入れる様にした。
【００１０】
更に重なり部の段形状を利用する事で、外壁材が自ずと納まり位置へ誘導される構造とした。
【考案の効果】
【００１１】
縦の辺と横の辺の両方に重なり部が有る構造とした結果、全辺のシーリングを重なり部の内部にて簡単に出来る様になり、シーリングが外から見えず、美観に優れた外壁の仕上り面を提供出来る。
【００１２】
また、上記したコーキング作業の手間が無くなり作業性が改善される。
【００１３】
更に、バックアップ材なども不要になり部品点数を減らせ、マスキングテープなどの消耗品を使用しなくても済むので資源の節約になる。
【００１４】
外壁材が自ずと納まり位置へ誘導されるので、馬踏み目地貼りの場合でも面倒な納まり位置割出し作業の手間が不要となる。
【考案を実施するための最良の形態】
【００１５】
以下、本考案を実施するための最良の形態を図面に基づいて詳細に説明する。図１及び図２に示す様に、縦の辺、横の辺の両方に重なり部がある構造となっており、おもて面から見ると外壁材１の右辺に水平方向重なり部２が上辺に垂直方向重なり部３が見える。
【００１６】
図３に示す様に、水平方向重なり部２は外壁材１の表面から一段下がっており、外壁材１の左辺付近の裏側には左辺脚６が有り、水平方向に隣合う外壁材１の接合の際には、左側の外壁材１の水平方向重なり部２が右側の外壁材１の左辺脚６に当たるところまで入り込み、合抉りの形になる構造となっている。水平方向重なり部２の先端には右辺脚４が有る。シーリング材１８は重なり部内部に入れられるので、外から見える事はない。また、大きなスキマを埋めるわけでないので、シーリング材１８の充填も楽で、量が少なく済み、経年劣化による影響が少ない。
【００１７】
また、水平方向重なり部２の出代よりも左辺端面からの左辺脚６までの距離を短く設定すると縦目地１６が生じるが、縦目地１６の幅は外壁材１の設計時点で好みの幅に設定出来る。更に左側の外壁材１の水平方向重なり部２と右側の外壁材１の左辺脚６を突き当てて接合して行くので、縦目地１６の幅は均一な幅をもって施工して行ける。
【００１８】
図４に示す様に、垂直方向重なり部３は外壁材１の表面から一段下がっており、外壁材１の下辺付近の裏側には下辺脚７が有り、垂直方向に隣合う外壁材１の接合の際には、下側の外壁材１の垂直方向重なり部３が上側の外壁材１の下辺脚７に当たるところまで入り込み、合抉りの形になる構造となっている。垂直方向重なり部３の先端には上辺脚５が有る。シーリング材１８は重なり部内部に入れられるので、外から見える事はない。また、大きなスキマを埋めるわけでないので、シーリング材１８の充填も楽で、量が少なく済み、経年劣化による影響が少ない。
【００１９】
また、垂直方向重なり部３の出代よりも下辺端面からの下辺脚７までの距離を短く設定すると横目地１７が生じるが、横目地１７の幅は外壁材１の設計時点で好みの幅に設定出来る。更に下側の外壁材１の垂直方向重なり部３と上側の外壁材１の下辺脚７を突き当てて接合して行くので、横目地１７の幅は均一な幅をもって施工して行ける。
【００２０】
外壁材１の中央部にはリブ８が有り、外壁材１を補強すると共に右辺脚４、上辺脚５、左辺脚６、下辺脚７と一体となって外壁材１の厚みを維持する。リブ８の数は限定するものではなく外壁材１のサイズにより自由に変えて良いし、通す方向も縦横斜めどの方向でも良いものとする。
【００２１】
図５に示す様に、外壁材１の右上部には段９と段１０及び切欠き１２が有り、水平方向重なり部２と垂直方向重なり部３は、同一高さの面なので角部にて連続した面としてつながっている。裏側では右辺脚４と上辺脚５がつながり連続した脚となっている。段９は右側に接合される外壁材１の垂直方向重なり部３の干渉を避ける為に、水平方向重なり部２より更に下がった段である。段１０は通し目地貼りの際に上側に接合される外壁材１の水平方向重なり部２の干渉を避ける為に、垂直方向重なり部３より更に下がった段である。切欠き１２は右側に接合される外壁材１の上辺脚５の干渉を避ける為と、通し目地貼りの際に上側に接合される外壁材１の右辺脚４の干渉を避ける為に切欠いてある。
【００２２】
図６に示す様に、外壁材１の中央上部には段１１と切欠き１３が有る。段１１は馬踏み目地貼りの際に上側に接合される外壁材１の水平方向重なり部２の干渉を避ける為に、垂直方向重なり部３より更に下がった段である。切欠き１３は馬踏み目地貼りの際に上側に接合される外壁材１の右辺脚４の干渉を避ける為に切欠いてある。
【００２３】
図７に示す様に、外壁材１の左上部には切欠き１４が有り、裏側では上辺脚５と左辺脚６がつながり連続した脚となっている。切欠き１４は通し目地貼りの際に左隣りの上に置かれる外壁材１の右下角部との干渉を避ける為に切欠いてある。
【００２４】
図８に示す様に、外壁材１の右下部には切欠き１５が有り裏側では右辺脚４と下辺脚７がつながり連続した脚となっている。切欠き１５は通し目地貼りの際に右隣りの下に置かれる外壁材１の左上角部との干渉を避ける為に切欠いてある。
【００２５】
図９に示す様に、外壁材１の左下部の裏側では左辺脚６と下辺脚７がつながり連続した脚となっている。
【００２６】
図１０は通し目地貼りで施工した状態の外観を示した図である。施工の順番としては建物の壁面の左下の位置から始め、左から右へと水平方向に貼って行き、右端まで貼り終えたら一つ上の段を再び左から右へと水平方向に貼って行く作業を最上部まで繰り返して行く。左から右へと水平方向に貼って行く過程において、従来の外壁材１９の様にスキマ２１を開ける必要が無く、突き当てながら貼って行ける上、段９が垂直方向の位置案内となり、自ずと納まるべき位置に外壁材１が誘導される。更に上の段を貼って行く際も、段１０が水平方向の位置案内となり、自ずと納まるべき位置に外壁材１が誘導されるので、非常に簡単に施工が出来る。
【００２７】
図１１は馬踏み目地貼りで施工した状態の外観を示した図である。施工の順番としては通し目地貼りの時と同じであるが、１つの段ごとに、外壁材１の納まり位置を壁の長さの半分だけずらす点が作業上異なる。しかしながら、段１１が水平方向の位置案内となり自ずと納まるべき位置に外壁材１が誘導されるので、通し目地貼りの施工と全く同じ要領で施工が行える。
【図面の簡単な説明】
【００２８】
【図１】本考案を実施するための最良の形態を示した隠れ線無しの正面図ある。
【図２】本考案を実施するための最良の形態を示した隠れ線有りの正面図である。
【図３】本考案に係る外壁材を水平方向に接合した状態を示した結合部の断面図である。
【図４】本考案に係る外壁材を垂直方向に接合した状態を示した結合部の断面図である。
【図５】図２で示した図面の右上部の部分拡大図である。
【図６】図２で示した図面の中央上部の部分拡大図である。
【図７】図２で示した図面の左上部の部分拡大図である。
【図８】図２で示した図面の右下部の部分拡大図である。
【図９】図２で示した図面の左下部の部分拡大図である。
【図１０】本考案に係る外壁材を通し目地貼りで施工した状態を示した正面図である。
【図１１】本考案に係る外壁材を馬踏み目地貼りで施工した状態を示した正面図である。
【図１２】背景技術を示した斜視図である。
【符号の説明】
【００２９】
１    外壁材
２    水平方向重なり部
３    垂直方向重なり部
４    右辺脚
５    上辺脚
６    左辺脚
７    下辺脚
８    リブ
９    段
１０    段
１１    段
１２    切欠き
１３    切欠き
１４    切欠き
１５    切欠き
１６    縦目地
１７    横目地
１８    シーリング材
１９    外壁材
２０    重なり部
２１    スキマ
【図１】
0003132580.tif 000003
【図２】
0003132580.tif 000004
【図３】
0003132580.tif 000005
【図４】
0003132580.tif 000006
【図５】
0003132580.tif 000007
【図６】
0003132580.tif 000008
【図７】
0003132580.tif 000009
【図８】
0003132580.tif 000010
【図９】
0003132580.tif 000011
【図１０】
0003132580.tif 000012
【図１１】
0003132580.tif 000013
【図１２】
0003132580.tif 000014